(57)【要約】【課題】            カートリッジ装填の操作性の向上を図りながら、セットサイズにおいて小型化を実現することが可能な記録再生装置を提供する。【解決手段】        カートリッジ７を強制的に引き込む機構に替え、カートリッジ７を蓋体１に挿入完了後もさらに押し続けると蓋体１が装置本体２に対して後退し、カートリッジ７が扉４の内側に達して蓋体１が常時閉蓋方向及び回動先端部への付勢力により閉じてカートリッジ７の装填が完了する。【選択図】          図４
2005129105.tif 000002
【特許請求の範囲】
【請求項１】
記録媒体を内蔵したカートリッジをホルダーに保持、装填する記録再生装置であって、前記カートリッジの記録媒体に対して記録再生を行う記録再生手段を設けた装置本体と、前記装置本体に対して回動支点を介して回動自在に支持されると同時に、この回動支点を前記装置本体に対して後退可能に支持され、回動先端側がカートリッジの挿入部をなし、常時閉蓋方向に付勢されるとともに前記装置本体に対してカートリッジ挿入部方向に付勢される蓋体と、前記装置本体に回動自在に支持されて前記挿入部を閉じる方向に常時付勢される扉と、前記蓋体内部に配置されて前記カートリッジを保持するホルダーと、前記蓋体を常時閉蓋方向に付勢する付勢力に抗して開蓋方向に回動させる開蓋操作手段と、前記蓋体内部に設けられて開蓋時に前記カートリッジを押し出す押し出し手段とを備えたことを特徴とする記録再生装置。
【発明の詳細な説明】
【技術分野】
【０００１】
本発明は、記録媒体に対して記録を実行し、または前記記録媒体からの再生を実行する記録再生装置に関し、前記記録媒体の入ったカートリッジをホルダーに保持・装填する技術に係るものである。
【背景技術】
【０００２】
従来、記録媒体の入ったカートリッジをホルダーに保持、装填する記録再生装置において、カートリッジをホルダーに脱着するカートリッジ脱着機構にはカンガルータイプとスロットインタイプがある。カンガルータイプはディスク蓋部を開けてからカートリッジを挿入するものであり、スロットインタイプは直接カートリッジを挿入溝または挿入孔に押し込むものである。
【０００３】
スロットインタイプは、簡単にカートリッジの交換ができる為に操作性は非常に良いが小型化においては多くの課題があった。このスロットインタイプとしては、例えば特許文献１（特開２００３−１２３３６７公報）に記載されたものが知られている。
【０００４】
この従来の記録再生装置のスロットインタイプのディスク蓋部開閉機構を図７に示す。図７（ａ）は閉蓋状態に対するカートリッジ挿入の直前を示す図、同（ｂ）はカートリッジ挿入の途中の状態を示す図、同（ｃ）はカートリッジが蓋体端面まで挿入された状態を示す図、同（ｃ‘）はその部分拡大図である。
【０００５】
この従来の記録再生装置は、装置本体１２に記録媒体を内蔵したカートリッジ１７を保持するホルダー（図示省略）および、ホルダーに保持、装填したカートリッジ１７の記録媒体に対して記録再生を行う記録再生手段（図示省略）を設けている。
【０００６】
蓋体１１は装置本体１２に回動支点を介して回動自在に支持されて常時閉蓋方向に付勢されており、回動先端側が内部に配置したホルダーへカートリッジ１７を挿入するための挿入部をなしている。扉１４は装置本体１２に回動自在に支持されており、蓋体１１の閉蓋状態でカートリッジ１７の挿入部を閉じる方向に付勢されている。また、装置本体１２には蓋体１１を常時閉蓋方向に付勢する付勢力に抗して開蓋方向に回動させる開蓋操作手段と、蓋体１１の内部に設けられて開蓋時にカートリッジ１７を押し出す押し出し手段とを設けている。
【０００７】
この構成により、カートリッジ１７の挿入時には、図７（ａ）に示すように、蓋体１１の閉蓋状態で扉１４に対してカートリッジ１７を矢印ホ方向に押し当てることにより扉１４が内側に倒れてカートリッジ１７を挿入するためのガイドとなり、図７（ｂ）に示すように、蓋体１１をその閉蓋方向への付勢力に抗して開蓋しながらホルダーにカートリッジ１７を挿入することで、図７（ｃ）に示すように、カートリッジ１７の装填を完了する。このカートリッジ１７の装填が完了することにより扉１４及び蓋体１１が閉じる。
【０００８】
装填されたカートリッジ１７の取り出し時には、開蓋操作手段の操作により蓋体１１をその閉蓋方向への付勢力に抗して開蓋させ、カートリッジ１７を押し出し手段によってホルダーより排出する。
【特許文献１】特開２００３−１２３３６７公報
【特許文献２】特開２００１−１２６３６５公報
【発明の開示】
【発明が解決しようとする課題】
【０００９】
しかし、上述したような構成では、図７（ｃ）および（ｃ‘）に示すように、カートリッジ１７の基端側が蓋体１１の回動先端側の端面まで挿入された状態となると、それ以後は指先でカートリッジ１７を蓋体１１の内部に押し込む必要があり、カートリッジ１７の全体を扉１４の内側に確実に位置させ難く閉蓋操作の確実性に問題がある。
【００１０】
一方、特許文献２には、カートリッジが一定位置にまで挿入された時点でカートリッジを引っ張りばねの付勢力で引き込む機構を有する記録再生装置が開示されている。
この特許文献２に開示するところのカートリッジ１７を強制的に引き込む機能を上述した構成に併用することによってカートリッジ１７を扉１４の内側に確実に位置させる構成を具現できる。
【００１１】
しかし、このような構成では特許文献２の記録再生装置を構成する機構部だけ余分に記録再生装置が大きくなってしまう。これはポータブル商品の基本であるセットサイズにおいて、従来のカンガルータイプの蓋部開閉機構に比べて不利である。さらに、特許文献２の記録再生装置を構成する機構は複雑であり、コストもかかるものであった。
【００１２】
本発明は、このような問題点に鑑み、カートリッジ装填の操作性の向上を図りながら、セットサイズにおいて小型化を実現することが可能な記録再生装置を提供することを目的とする。
【課題を解決するための手段】
【００１３】
上記課題を解決するために、本発明の記録再生装置は、装置本体に対して回動支点を介して回動自在に支持されると同時に、この回動支点を前記装置本体に対して後退可能に支持され、回動先端側がカートリッジの挿入部をなし、常時閉蓋方向に付勢されるとともに前記装置本体に対してカートリッジ挿入部方向に付勢される蓋体と、前記装置本体に回動自在に支持されて前記挿入部を閉じる方向に常時付勢される扉を備え、前記蓋体の閉蓋状態でカートリッジを前記扉に押し当てることで扉を内側に倒して前記カートリッジを挿入するガイドとなし、蓋体をその閉蓋方向への付勢力に抗して開蓋しながら挿入し、挿入完了後も前記カートリッジをさらに押し続けることで前記蓋体が前記装置本体に対して後退し、前記カートリッジが前記扉の内側に達してカートリッジ装填のための障害が無くなり、この状態で蓋体および扉が閉じて前記カートリッジの装填を完了する。
【発明の効果】
【００１４】
以上のように本発明によれば、蓋体に対するカートリッジの挿入完了後もカートリッジをさらに押し続けることにより、蓋体が装置本体に対して後退してカートリッジが扉の内側に達するので、複雑なカートリッジ引き込み機構を用いずとも、蓋体の挿入部にカートリッジを挿入する操作を行うだけカートリッジを容易に装填することができ、カートリッジ装填の操作性を良好にするとともに、従来のカンガルータイプの蓋部開閉機構を用いた機器と同等のセットサイズを実現することができる。
【発明を実施するための最良の形態】
【００１５】
本発明の請求項１に記載の記録再生装置は、記録媒体を内蔵したカートリッジをホルダーに保持、装填する記録再生装置であって、前記カートリッジの記録媒体に対して記録再生を行う記録再生手段を設けた装置本体と、前記装置本体に対して回動支点を介して回動自在に支持されると同時に、この回動支点を前記装置本体に対して後退可能に支持され、回動先端側がカートリッジの挿入部をなし、常時閉蓋方向に付勢されるとともに前記装置本体に対してカートリッジ挿入部方向に付勢される蓋体と、前記装置本体に回動自在に支持されて前記挿入部を閉じる方向に常時付勢される扉と、前記蓋体内部に配置されて前記カートリッジを保持するホルダーと、前記蓋体を常時閉蓋方向に付勢する付勢力に抗して開蓋方向に回動させる開蓋操作手段と、前記蓋体内部に設けられて開蓋時に前記カートリッジを押し出す押し出し手段とを備えたものである。
【００１６】
上記した構成により、カートリッジの挿入時には、蓋体の閉蓋状態でカートリッジを前記扉に押し当てることにより扉が内側に倒れてカートリッジを挿入するためのガイドとなり、蓋体をその閉蓋方向への付勢力に抗して開蓋しながらカートリッジをホルダーに挿入し、カートリッジが蓋体に挿入完了後もさらに押し続けることにより蓋体が装置本体に対して後退してカートリッジが扉の内側に達する。
【００１７】
この時点で扉はカートリッジ装填に対する障害では無くなり、蓋体が閉蓋方向および前進方向への付勢力により閉じるとともに、扉が閉動方向の付勢力により閉じることでカートリッジの装填が完了する。
【００１８】
装填されたカートリッジの取り出し時には、開蓋操作手段の操作により、蓋体をその閉蓋方向への付勢力に抗して開蓋させ、前記カートリッジを前記押し出し手段によって前記蓋体およびホルダーより排出する。
【００１９】
以下、本発明の実施の形態の詳細を、図１〜図６を用いて説明する。図１〜図３は本発明を採用したポータブルＭＤにおける記録再生装置の実施の形態を示す斜視図、図４〜図６はその一部分を断面して示す側面図を示す。更に、図１（ａ）は閉蓋状態でのカートリッジ挿入の直前の状態を示す図、図１（ｂ）はカートリッジ挿入の途中の状態を示す図、図１（ｃ）はカートリッジ挿入時の閉蓋状態直前を示す図、図２（ａ）は閉蓋状態を示す図、図２（ｂ）はカートリッジ取り出し時の状態を示す図、図３（ａ）は閉蓋状態を示す図、図３（ｂ）はカートリッジ挿入の閉蓋状態直前を示す図、図４は同記録再生装置の一部分を断面で示す側面図であり、図４（ａ）は閉蓋状態でのカートリッジ挿入の直前の状態を示す図、図４（ｂ）はカートリッジ挿入の途中の状態を示す図、図５はカートリッジ挿入時閉蓋状態の一部分を断面で示す側面図、図６はカートリッジ取り出し時の一部分を断面で示す図である。
【００２０】
図１〜図６において、蓋体１は装置本体を構成する装置本体部２に第１リンク９と第２リンク１０を介して回動自在に設けられており、回動先端にカートリッジ７を挿入するための挿入部１Ａを有している。
【００２１】
第１リンク９と第２リンク１０はそれぞれが装置本体部２の両側に存在しており、両側の第１リンク９と第２リンク１０は同様の構成をなすので、ここでは一側に配置した第１リンク９と第２リンク１０を説明する。
【００２２】
第１リンク９と第２リンク１０は一端を蓋体１の一辺部の端縁に回動支点１ａＬ、１ｂＬで回動自在に軸着し、他端を装置本体部２の一辺部の端縁に回動支点２ａＬ、２ｂＬで回動自在に軸着しており、第２リンク１０の回動支点２ｂＬは装置本体部２にその前後方向に摺動自在に支持されている。
【００２３】
このリンク構造により、蓋体１は装置本体部２に対して第１リンク９と第２リンク１０の回動支点１ａＬ、１ｂＬ、２ａＬ、２ｂＬを介して回動自在に支持されると同時に、第１リンク９と第２リンク１０の回動により装置本体部２に対して後退可能に支持されている。
【００２４】
蓋体１は、装置本体部２のシャーシ２ａに固定された第１の本体バネ２ｂの付勢力（矢印Ｆ１）により常時閉蓋方向に付勢されるとともに、装置本体部２のシャーシ２ａに固定された第２の本体バネ２ｃの引っ張り力（矢印Ｆ２）により装置本体部２に対して常に挿入部１Ａの方向に付勢されている。
【００２５】
装置本体部２には蓋体１の挿入部１Ａを開閉する扉４を設けており、扉４は支点軸部４ａにより回動自在で、扉部バネ４ｅの付勢力（矢印Ｆ４）により、カートリッジ７の挿入部１ａを閉じる方向に付勢される。
【００２６】
蓋体１は内側にホルダー８を備えており、挿入部１Ａより挿入されたカートリッジ７を保持し、カートリッジ７はホルダー８に保持された状態で記録再生可能な位置に装填される。蓋体１の内部にはカートリッジ押し出しバネ５を設けており、カートリッジ押し出しバネ５は蓋体１の開放時にカートリッジ７を押し出すように構成されている。
【００２７】
開蓋操作手段６は蓋体１を開蓋方向に回動させるものであり、蓋体１を常時閉蓋方向に付勢する付勢力に抗して蓋体１を開蓋させる。装置本体部２は記録再生手段としてディスク駆動ユニット、ピックアップ装置、他の必要な構成及び回路を備えており、ここではディスク駆動ユニットの駆動用ターンテーブル３を示して他の構成の図示を省略する。
【００２８】
以下、上記した構成における作用を説明する。図２（ａ）及び図５に示すように、蓋体１の閉蓋状態では蓋体１と装置本体部２とは密着した状態にあり、このとき蓋体１のカートリッジ７の挿入部１ａは扉４により閉じられた状態となっている。
【００２９】
装置本体２にカートリッジ７を装填する際には、図１（ａ）及び図４（ａ）に示すように、蓋体１が閉蓋された状態でカートリッジ７を扉４の正面側に位置させて、その前端７ａを扉４に押し当てる。この操作により、図４（ａ）に示すように、付勢力（矢印Ｆ４）に抗して扉４が内側に倒れてカートリッジ７を挿入のためのガイドとなる。
【００３０】
この倒れた扉４の正面側の傾斜面をガイドとして更にカートリッジ７を矢印イ方向に押し込むと、カートリッジ７が矢印ハ方向に蓋体１を押し上げるので、図４（ａ）に示すように、付勢力（矢印Ｆ１）に抗して蓋体１が上方へ開き角度「ｄ０」だけ回動する。
【００３１】
この開蓋状態で、さらにカートリッジ７をイ方向に押し込んでカートリッジ７の後端７ｂと蓋体１の挿入部１Ａが揃うと、カートリッジ７を押していた指は蓋体１も押さえる。この時押された力（矢印Ｆ７）により、第１リンク９は回動支点１ａＬで蓋体１に対して回転しながら、装置本体部２の回動支点２ａＬを回転の中心として回転角度「ｄ９」だけ回転して蓋体１の移動量「Ｄ９」を得る。
【００３２】
また、この第１リンク９に従属して第２リンク１０は、回動支点１ｂＬで蓋体１に対して回転しながら、装置本体部２に摺動自在に設けた支点２ａＬが移動量「Ｄ２」だけ移動し、カートリッジ７は「Ｄ４」分だけ倒れた扉４の内側に入る。
【００３３】
この状態で指を放すと蓋体１が第１の本体バネ２ｂの付勢力（矢印Ｆ１）を受けて閉蓋方向に回動し、同時に第２の本体バネ２ｃの引っ張り力（矢印Ｆ２）により挿入部１Ａの方向に移動して閉蓋することで、カートリッジ７が装置本体部２に装填される。
【００３４】
同時に、カートリッジ７により付勢力（矢印Ｆ４）に抗して倒されていた扉４は扉部バネ４ｅの付勢力（矢印Ｆ４）で復元して直立し、挿入部１ａを閉じる。
これにより蓋体１は閉蓋状態となって、図２（ａ）に示すように、装置本体部２と密着した状態となり、カートリッジ７の装填が完了した状態（記録再生状態を含む）となる。このカートリッジ７の非装填／装填状態の閉蓋状態は、共に図２（ａ）及び図５に示すような状態であり、外観上は何ら変わりない。
【００３５】
次に、カートリッジ７の取り出しについて説明する。装置本体部２にカートリッジ７が装填されている状態では、図２（ａ）及び図５に示す閉蓋状態にあり、蓋体１が付勢力（矢印Ｆ１）により装置本体部２と密着した状態である。
【００３６】
この状態では、図６に示すように、開蓋操作手段６の腕部６ａａは蓋体１に設けられたホルダー８に触れていない状態である。この状態から、図５に示すように、開蓋操作手段６を回転操作すると、腕部６ａａはホルダー８の底面部を押し上げ、このホルダー８と共に蓋体１を付勢力（矢印Ｆ１）に抗して開蓋方向の付勢力（矢印−Ｆ１）で押し上げて回動させる。
【００３７】
そして、カートリッジ７の後端面の下端縁が扉部４の上端を越えると、図１（ｂ）に示すように、蓋体１の内部に設けられたカートリッジ押し出しバネ５の排出力（矢印Ｆ５）が作用することで、カートリッジ７が蓋体１より矢印ロ方向に排出され、カートリッジ７の後端が機器より露出する。この状態から使用者はカートリッジ７を取り出すことができる。
【００３８】
この時、開蓋操作手段６の腕部６ａａがホルダー８及び蓋体１を持ち上げる角度は、前述したカートリッジ７の挿入時にカートリッジ７の押し込みにより蓋体１が開蓋する時の装置本体部２に対する開き角度ｄ０よりも大きくなる。これは、カートリッジ７の挿入時には必要最小限の開き角度でありながら、取り出し時には扉４への障害を充分回避する状態に開くことができて使い勝手の良い装置とするためのものである。
【産業上の利用可能性】
【００３９】
本発明は蓋体に対するカートリッジの挿入完了後もカートリッジをさらに押し続けることにより、蓋体が装置本体に対して後退してカートリッジが扉の内側に達するので、複雑なカートリッジ引き込み機構を用いずとも、蓋体の挿入部にカートリッジを挿入する操作を行うだけカートリッジを容易に装填することができ、カートリッジ装填の操作性の向上を図りながら、セットサイズにおいて小型化を実現する記録再生装置に利用可能である。
【図面の簡単な説明】
【００４０】
【図１】本発明の一実施の形態における記録再生装置を示す外観斜視図であり、（ａ）は閉蓋状態に対するカートリッジ挿入の直前を示す図（ｂ）はカートリッジ挿入の途中の状態を示す図（ｃ）はカートリッジ挿入後閉蓋直前の状態を示す図
【図２】同記録再生装置の外観斜視図であり、（ａ）は閉蓋状態を示す図（ｂ）はカートリッジ取り出し時の状態を示す図
【図３】同記録再生装置の外観斜視図であり、（ａ）は閉蓋状態を示す図（ｂ）はカートリッジ挿入後閉蓋直前の状態を示す図
【図４】同記録再生装置の一部分を断面で示す側面図であり、（ａ）はカートリッジ挿入の途中の状態を示す図（ｂ）は、閉蓋状態に対するカートリッジ挿入の直前を示す図
【図５】同記録再生装置の閉蓋状態の一部分を断面で示す側面図
【図６】同記録再生装置のカートリッジ取り出し時の一部分を断面で示す側面図
【図７】従来の実施の形態による記録再生装置の斜視図であり、（ａ）は閉蓋状態に対するカートリッジ挿入の直前を示す図（ｂ）はカートリッジ挿入の途中の状態を示す図（ｃ）はカートリッジ挿入後閉蓋直前の状態を示す図（ｃ‘）はカートリッジ挿入後閉蓋直前の状態を示す拡大図
【符号の説明】
【００４１】
１  蓋体
１Ａ  蓋体の回動先端の挿入部
１ｂ、１ｃ  蓋部突起（係合手段）
２  装置本体
２ｂ  第１の本体バネ
２ｃ  第２１の本体バネ
３  ディスク駆動ユニット
４  扉
４ａ  支点軸部
４ｂ、４ｃ  扉部突起（係合手段）
４ｅ  扉部バネ
５  カートリッジ押し出しバネ
６  開蓋操作手段
６ａａ  腕部
７  カートリッジ
７ａ  カートリッジ前端
７ｂ  カートリッジ後端
８  ホルダー
９  第１リンク
１０  第２リンク
【図１】
2005129105.tif 000003
【図２】
2005129105.tif 000004
【図３】
2005129105.tif 000005
【図４】
2005129105.tif 000006
【図５】
2005129105.tif 000007
【図６】
2005129105.tif 000008
【図７】
2005129105.tif 000009